(57)【要約】      （修正有）【課題】簡素な構成で、ペンダントトップからのゴルフマーカーの離脱を防止し、且つゴルフマーカーの着脱を容易に行えるゴルフマーカーを収納可能なペンダントトップを提供する。【解決手段】永久磁石を略中央部に有し且つ硬磁性材料以外の強磁性材料からなるゴルフマーカー２を収納可能であって、上記ゴルフマーカー２と略面接触する収納面を有するペンダントトップ基部と、上記ペンダントトップ基部の上記収納面と対向する面に埋設された永久磁石と、上記ペンダントトップ基部の側面に設けられた貫通穴を有する金具１２とを備え、上記ペンダントトップ基部の上記収納面において、上記金具１２と対向する端部が盛り上がった段差を有する。【選択図】図３
0003177795.tif 000002
【実用新案登録請求の範囲】
【請求項１】
永久磁石を略中央部に有し且つ硬磁性材料以外の強磁性材料からなるゴルフマーカーを収納可能なペンダントトップであって、
上記ゴルフマーカーと略面接触する収納面を有するペンダントトップ基部と、
上記ペンダントトップ基部の上記収納面と対向する面に埋設された永久磁石と、
上記ペンダントトップ基部の側面に設けられた貫通穴を有する金具と、
を備え、
上記ペンダントトップ基部の上記収納面において、上記金具と対向する端部が盛り上がった段差を有する
ことを特徴とするペンダントトップ。
【請求項２】
上記ペンダントトップ基部が非磁性材料からなることを特徴とする請求項１に記載のペンダントトップ。
【請求項３】
上記ペンダントトップ基部の上記収納面と対向する面に埋設された永久磁石が、当該永久磁石が埋設された面と面一になるように埋設され、
当該永久磁石が埋設された面において、上記金具と対向する端部が盛り上がった段差を有する
ことを特徴とする請求項１または請求項２に記載のペンダントトップ。
【請求項４】
上記収納面および／または、上記ペンダントトップ基部の上記収納面と対向する面に装飾が施された
ことを特徴とする請求項１から請求項３のいずれかに記載のペンダントトップ。
【請求項５】
上記ペンダントトップ基部に装飾と軽量化を兼ねた複数の装飾孔を有している
ことを特徴とする請求項１から請求項４のいずれかに記載のペンダントトップ。
【請求項６】
請求項１から請求項５のいずれかに記載のペンダントトップと、
上記永久磁石を略中央部に有し且つ硬磁性材料以外の強磁性材料からなるゴルフマーカーと、
を備えたことを特徴とするゴルフマーカーを収納したペンダントトップ。
【請求項７】
上記永久磁石を略中央部に有し且つ硬磁性材料以外の強磁性材料からなるゴルフマーカーの一つの面に装飾が施された
ことを特徴とする請求項６に記載のゴルフマーカーを収納したペンダントトップ。
【請求項８】
上記収納面および／または、上記ペンダントトップ基部の上記収納面と対向する面に装飾が施され、
上記永久磁石を略中央部に有し且つ硬磁性材料以外の強磁性材料からなるゴルフマーカーの一つの面に、関連する装飾が施された
ことを特徴とする請求項７に記載のゴルフマーカーを収納したペンダントトップ。
【請求項９】
請求項１から請求項５のいずれかに記載のペンダントトップ、または、請求項６から請求項８のいずれかに記載のゴルフマーカーを収納したペンダントトップと、
ネックレスチェーンと、
を備えたことを特徴とするペンダント。
【考案の詳細な説明】
【技術分野】
【０００１】
本考案は、ゴルフマーカーを収納するホルダーとして用いることができるペンダントトップ、およびそれを用いたペンダントに関する。
【背景技術】
【０００２】
ゴルファーがグリーン上でゴルフボールをピックアップする際に、ゴルフボールの位置を示すために、ゴルフマーカーが用いられる。ゴルフマーカーは、ゴルファーがズボンのポケットに入れて持ち歩くことが普通であるが、ファッション性と機能性を兼備したグッズとして、ゴルフマーカーを収納可能なホルダーとしてペンダントトップが提案されている（例えば、特許文献１）。
【０００３】
特許文献１で開示されているペンダントトップには、ゴルフマーカーをはめ込むことができるＵ字状に開口したくぼみが形成されている。このくぼみの中央付近には、磁石が装着されており、磁力によりゴルフマーカーをペンダントトップに付着させて収納することが可能な構成となっている。また、指で押しだすことにより、片手でゴルフマーカーを取り出すことが可能である。
【先行技術文献】
【特許文献】
【０００４】
【特許文献１】実登３１４０９１２号公報（特に、図３から図５）
【考案の概要】
【考案が解決しようとする課題】
【０００５】
特許文献１において開示されたペンダントトップにおいては、収納されているゴルフマーカーを取り出す際に、必ずＵ字状の開口経路に沿って指で押しだす必要がある。しかしながら、首にぶら下げているペンダントトップを手で掴んだときに、ペンダントトップの手の中における向きは常に同じではないため、Ｕ字状の開口経路がどの方向にあるかを目視で確認した後に、指で押しだす必要がある、という煩わしさがあった。
また、ゴルフマーカーを収納する際にも上記と同様の煩わしさがあった。
さらに、ゴルフマーカーは磁石に付着する金属等の材料によって構成され、ペンダントトップに設けられた磁石と付着することにより収納されるが、ゴルフマーカーがＵ字状に開口したくぼみの途中にあっても、磁石と付着してしまう。すなわち、ゴルフマーカーの端部が磁石の上にある中途半端な状態でも、磁力によりペンダントトップに付着してしまう。このような付着状態は不安定であり、なんらかの衝撃により、ゴルフマーカーがペンダントトップから離脱し、ゴルフマーカーを紛失してしまうという問題があった。特に、ゴルフクラブをスイングするときには、大きな衝撃が生じるため、離脱が起こりやすい。
【０００６】
この考案は上記問題点を解決するためになされたもので、ゴルフマーカーの離脱による紛失を防止できるとともに、ゴルフマーカーの着脱をより容易に行うことができるペンダントトップを簡素な構成で実現することを目的とする。
【課題を解決するための手段】
【０００７】
この考案に係るペンダントトップは、永久磁石を略中央部に有し且つ強磁性材料からなるゴルフマーカーを収納可能なペンダントトップであって、上記ゴルフマーカーと略面接触する収納面を有するペンダントトップ基部と、上記ペンダントトップ基部の上記収納面と対向する面に埋設された永久磁石と、上記ペンダントトップ基部の側面に設けられた貫通穴を有する金具とを備え、上記ペンダントトップ基部の上記収納面において、上記金具と対向する端部が盛り上がった段差を有することを特徴とするものである。
【考案の効果】
【０００８】
この考案に係るペンダントトップは、簡素な構成でありながら、ゴルフクラブをスイングする際に生じる衝撃に対しても、ゴルフマーカーが離脱することを極力防止することが可能であると同時に、ゴルフマーカーの着脱を容易に行えるものである。
【図面の簡単な説明】
【０００９】
【図１】本考案に係るペンダントトップを（ａ）上面（収納面）から見た図、（ｂ）横面から見た図、および（ｃ）下面（裏面）から見た図である。
【図２】本考案に使用する最適なゴルフマーカーを（ａ）上面（表面）から見た図、（ｂ）横面から見た図、および（ｃ）下面（裏面）から見た図である。
【図３】本考案に使用する最適なゴルフマーカーを本発明に係るペンダントトップに収納し、さらにネックレスチェーンを通した図である。
【図４】本考案に使用する最適なゴルフマーカーを右横方向に着脱しているところを表す図である。
【図５】本考案に使用する最適なゴルフマーカーを左上方向に着脱しているところを表す図である。
【図６】本考案に使用する最適なゴルフマーカーを本発明に係るペンダントトップに設置する際に、磁力による引き込みが生じる位置および様子を表した図である。
【図７】本考案に係る図１とは異なる形状の落下防止段差を有するペンダントトップを（ａ）上面（収納面）から見た図、（ｂ）横面から見た図、および（ｃ）下面（裏面）から見た図である。
【考案を実施するための形態】
【００１０】
以下において、本考案に係る実施の形態について詳述する。なお、この実施形態は本考案を具体化した一例であって、これに限定されるものではない。
まず、本考案に係るペンダントトップ１の構成について説明する。
【００１１】
図１は、この考案に係るペンダントトップ１を（ａ）上面（収納面）から見た図、（ｂ）横面から見た図、および（ｃ）下面（裏面）から見た図である。同図に示すように、この考案に係るペンダントトップ１は、ペンダントトップ基部１１、金具１２およびペンダントトップ用磁石１３を備えている。
【００１２】
ペンダントトップ基部１１は、例えば、直径３４ｍｍ、厚み２ｍｍの円盤形状であり、材質は錫である。なお、この形状や大きさは一例であり、その他の形状、大きさであっても良い。材質としては、非磁性材料が望ましく、できれば強度に優れたものが良い。
【００１３】
図１において（ａ）に示す面は、ゴルフマーカー２を収納可能な面（以下、収納面という）であり、収納時にはゴルフマーカー２と略面接触する面である。ここで略面接触するとは、ほぼ平坦な面を有するゴルフマーカー２を収納面上に設置したときに、ぐらぐらと不安定にならない状態を指し、必ずしも両面のすべてが接触している必要はない。例えば、図１（ａ）に示すように、収納面には、いろいろな装飾を施す場合がある。貫通穴である基部装飾孔１５を設けたり、浅く掘り下げた基部収納面装飾１６を設けたりしてもよい。このような場合には、収納面のうち、基部装飾孔１５や基部収納面装飾１６とゴルフマーカー２は接触しないが、収納面の他の部分が接触すれば、ゴルフマーカー２は収納面に安定に設置できる。このような状態を、ペンダントトップ基部１１の収納面とゴルフマーカー２とが略面接触した状態と呼ぶこととする。
【００１４】
なお、上述した基部装飾孔１５を設ける目的は、ペンダントトップとしての装飾性を得ることが第一であるが、軽量化にも寄与している。
【００１５】
図１（ａ）に示すように、ペンダントトップ基部１１の収納面の下方には、落下防止用段差１４が設けられている。この部分は、他の収納面の他の部分より、例えば０．５ｍｍ程度盛り上がっている。この落下防止用段差１４を設ける目的は、衝撃等により、ゴルフマーカー２がペンダントトップ基部１１の収納面より離脱することを防止することにある。この点に関し、詳しくは後述する。
【００１６】
上述した落下防止用段差１４と反対側のペンダントトップ基部１１の側面には、金具１２が設けられている。ペンダントトップ基部１１の側面と金具１２は、溶接や接着により固着されている。また、金具１２は貫通穴を有している。
【００１７】
ペンダントトップ基部１１において、収納面の裏面の略中央部に、ペンダントトップ用磁石１３を収納するためのくぼみが設けられている。ペンダントトップ用磁石１３は永久磁石であり、上述のくぼみに嵌め込まれ、接着剤等によりくぼみ内に固定されている。ペンダントトップ用磁石１３としては、フェライト磁石やアルニコ磁石、あるいは希土類磁石等を用いることができる。基本的には、着磁された永久磁石であれば何でも良く、望ましくは減磁がほとんどなく、且つ耐食性の良い材料である。着磁方向は、収納面に略垂直な方向である。
【００１８】
次に、上述したペンダントトップ１に収納するのに最適なゴルフマーカー２の構成について、図２を用いて説明する。図２は、本考案に使用する最適なゴルフマーカー２を（ａ）上面（表面）から見た図、（ｂ）横面から見た図、および（ｃ）下面（裏面）から見た図である。
【００１９】
図２（ｂ）および（ｃ）に示すように、ゴルフマーカー２のマーカー基部２１の裏面には、マーカー用磁石２２が設けられている。このマーカー用磁石２２は、ペンダントトップ基部１１の裏面に設けられたペンダントトップ用磁石１３と同様の方法で、ゴルフマーカー２の裏面のくぼみに固定されている。また、マーカー用磁石２２の材質等は、ペンダントトップ用磁石１３と同様の材質で良く、着磁方向は、マーカー基部２１の面に略垂直な方向である。
【００２０】
そして、ペンダントトップ基部１１の収納面とゴルフマーカー２の裏面が引き合う方向に磁力が働くようにする。すなわち、ペンダントトップ用磁石１３において、例えば、収納面側がＮ極で裏面側がＳ極であるならば、マーカー用磁石２２においては、マーカー基部２１の表面側がＮ極で裏面側がＳ極になるように着磁を行う。このように着磁を行うことで、収納時には、ペンダントトップ基部１１の収納面とゴルフマーカー２の裏面が磁力で引き合って接することになる。
【００２１】
したがって、収納時には、ゴルフマーカー２の表面が前面から見える面になり、ペンダントトップ１の装飾の一部となる。そのため、図２（ａ）に示すように、ゴルフマーカー２の表面には、装飾のためのマーカー上面装飾２３を設けることが望ましい。また、ペンダントトップ１とゴルフマーカー２とを組み合わせて販売等する際には、それらに施された装飾のデザインを統一したものとしても良い。
【００２２】
なお、マーカー基部２１の構成材料としては、強磁性材料が望ましい。例えば、鉄やコバルト、あるいはこれらの合金であっても良いし、パーマロイ組成のニッケル鉄合金といった軟磁性材料であっても良い。いずれにしろ、永久磁石のような硬磁性材料ではなく、保持力が比較的小さく、且つ飽和磁化が大きく、磁化率が大きな強磁性材料が望ましい。
【００２３】
図３は、本発明に係るゴルフマーカー２を本発明に係るペンダントトップ１に収納し、さらにネックレスチェーン３０を通した際の模式図である。
図３においては、ネックレスチェーン３０を金具１２の貫通穴に直接通しているが、開閉可能な補助金具を介して、ネックレスチェーン３０を金具１２と繋ぐようにしても良い。
図３のような構成により、ゴルフマーカー２をペンダントトップ１に収納し、それをペンダントとして首に掛けて、アクセサリーとして使うことが可能となる。もちろん、グリーン上では、直ぐにゴルフマーカー２を取り外して用いることができるという機能性も兼備している。この機能性について、以下に説明する。
【００２４】
次に、図４から図６を用いて、ペンダントトップ１とゴルフマーカー２との着脱動作について説明する。
磁力によってペンダントトップ１に収納されているゴルフマーカー２を取り外す際には、手のひらで全体を持ち、例えば親指でゴルフマーカー２を押し出すようにして、片手でゴルフマーカー２を取り外すことができる。図４および図５に示すように、ゴルフマーカー２を取り外す方向は、両図において下方向以外のいずれの方向でも可能である。すなわち、落下防止用段差１４以外のいずれの方向にでも取り外すことができるため、手の中にあるペンダントトップ１の方向を目視で確認する必要が無く、極めて容易にゴルフマーカー２を取り外すことが可能である。このように、ストレスを感じることなく、ゴルフマーカー２を取り外すことができるため、グリーン上でのプレーに集中できる。
【００２５】
また、落下防止用段差１４以外のいずれの方向からでも、ゴルフマーカー２をペンダントトップ１に容易に収納できるため、収納動作に注意を払うことなく、デリケートなプレーであるパットに集中できる。
さらに、ゴルフマーカー２において、中央部分にマーカー用磁石２２を設け、且つマーカー基部２１の構成材料を強磁性材料としたことで、ゴルフマーカー２をペンダントトップ１にある程度近づければ、磁力により、ゴルフマーカー２はペンダントトップ１の収納面中央に自動的に引き込まれる。例えば、図６に示すように、ゴルフマーカー２の端部が収納面中央付近に来れば、磁力により、ゴルフマーカー２の中央と収納面の中央とが合うように、最も安定な収納状態に引き込まれる。
【００２６】
このような引き込み動作が生じる理由について説明する。
図６に示すように、ゴルフマーカー２の端部が収納面中央付近に来ると、ペンダントトップ用磁石１３の磁力により、ゴルフマーカー２の端部がペンダントトップ用磁石１３の着磁方向と平行になるように磁化される。そして、ゴルフマーカー２の端部に隣接した内側の部分も順次、同方向に磁化されていく。すなわち、順次、ゴルフマーカー２の内側の部分もペンダントトップ用磁石１３に引かれていく。そして、ゴルフマーカー２の中央部と収納面の中央部が重なった時、すなわち、マーカー用磁石２２とペンダントトップ用磁石１３が重なった時に安定な状態となる。
【００２７】
上述のように、ゴルフマーカー２は、必ずペンダントトップ１の収納面中央まで引き込まれるため、中途半端な状態で収納されることなく、最も安定な位置まで引き込まれるので、ゴルフマーカー２がペンダントトップ１から、衝撃等により離脱する可能性が極めて減少する。
【００２８】
ただし、取り外し動作を考慮すると、上述の安定状態で生じるペンダントトップ１と
ゴルフマーカー２の磁力をあまり大きくすることは望ましくない。なぜなら、両者にあまりに強力な磁力が生じていると、ゴルフマーカー２を片手で取り出すことが出来なくなるためである。特に、本考案品のアクセサリー性を考慮すると、非力な女性が使用することも大いに考えられるためである。
【００２９】
さて、このように両者に生じる磁力を十分に大きくできないのであれば、衝撃により、ペンダントトップ１からゴルフマーカー２が離脱してしまうことも憂慮される。ただ、上述のように、ゴルフマーカー２は、必ずペンダントトップ１の収納面中央まで引き込まれるので、通常の衝撃によって離脱することは無い。例えば、歩いたり、走ったりするような動作では、ゴルフマーカー２が離脱する心配はほとんどない。
【００３０】
ゴルフをプレーしている際に生じる最も大きな衝撃は、クラブをスイングする際に生じる衝撃である。ロングホールのティーショットにおいて、距離を稼ぐべく、ドライバーを思い切り振り回した時をイメージして欲しい。図３に示すペンダントは、スイングに伴って、首を回転軸として大きく回転する。この際に、ペンダントトップ１とゴルフマーカー２には大きな遠心力が生じる。すなわち、首から遠ざかる方向に飛び出そうとする力が、ペンダントトップ１とゴルフマーカー２に生じる。しかし、ペンダントトップ１はネックレスチェーン３０に物理的に繋がっているため、ネックレスチェーン３０が切れなければ遠心力方向に飛び出すことは無い。一方、遠心力がペンダントトップ１とゴルフマーカー２に働く磁力よりも強ければ、ゴルフマーカー２はペンダントトップ１から離脱し、遠心力方向に飛ばされてしまう。
【００３１】
これを防止するために設けられているのが、落下防止用段差１４である。遠心力がペンダントトップ１とゴルフマーカー２に働く力よりも強くても、ゴルフマーカー２は落下防止用段差１４を越えることができず、結局磁力に引き戻されて安定な収納位置に復帰するため、離脱を防止することができる。
【００３２】
なお、図１（ｂ）に示すように、ペンダントトップ用磁石１３と収納面の裏面が面一になるようにし、且つ収納面の裏面にも落下防止用段差１４を設ければ、収納面（表面）だけではなく、裏面側にもゴルフマーカー２を収納することが可能とる。ただし、この場合には、マーカー用磁石２２の磁化方向を逆にするといった工夫が必要となる。
【００３３】
また、図１における落下防止用段差１４は、ペンダントトップ基部１１の図において下方に直線的に形成した。しかし、落下防止用段差１４の形状はこれに限定されるものではなく、例えば図７に示すように、ペンダントトップ基部１１の縁の部分が曲率を有し、下方にいくにしたがって、徐々に盛り上がるような段差としても良い。すなわち、図１あるいは図７において、ゴルフマーカー２が下方方向に動くことを妨げるような段差であれば、どのような形状の段差であっても、上述した本考案の効果を得ることができる。
【００３４】
最後に本考案について、以下にまとめる。
従来、主に中年男子のスポーツであったゴルフは、近年若年化が進むとともに、女性プレーヤーの増加も顕著であり、ファッション性が重要視されるスポーツになっている。装飾美を有するペンダントを着用し、そのペンダントをゴルフマーカーのホルダーとして使用することは、このような時代背景に合致するものである。
一方で、ゴルフをプレーする上での機能面を怠ることができないことは当然である。本考案は、これらファッション性と機能性の両面の要求を満足させるものである。
【００３５】
機能面で重要なことは、第一に、ゴルフマーカーがペンダントトップから離脱することを防止し、ゴルフマーカーを紛失しないことである。そのために、本考案においては、落下防止用段差を設けている。このような簡単な段差を設けることで離脱を防止できるのは、プレー時に生じる最も大きな衝撃が、クラブスイング時に生じることに着眼したことによる。
【００３６】
機能面で次に重要なことは、ゴルフマーカーの着脱を極めて容易に行えることである。ゴルフマーカーは、パッティングの前後で使用するものである。メンタルなスポーツであるゴルフの中でも、パッティングは最も精神状態に左右されるプレーであるため、ゴルフマーカーの着脱をストレスなく行えることは極めて重要である。本考案においては、磁石等を用いることに加え、離脱防止機能を落下防止用段差という簡単な段差を設けることだけで達成したため、段差以外のすべての方向に着脱可能な構成を達成することができた。
【００３７】
また、ペンダントトップの両面にゴルフマーカーを収納する構成も可能である。
【００３８】
本考案に最適なゴルフマーカーにおいては、マーカー基部を硬磁性材料（永久磁石）以外の強磁性材料で構成し、且つ中央部に永久磁石を配置した。この構成によって、ゴルフマーカーをペンダントトップの中央部の近くまで持って来れば、自動的に安定な収納位置に引き込まれるため、収納動作が容易であると同時に、不安定な位置でゴルフマーカーが収納され、小さな衝撃によって、ゴルフマーカーが離脱し紛失してしまうことを防止している。
【００３９】
小さな衝撃によるゴルフマーカーの離脱を上記構成により防止できたため、スイングという大きな衝撃による離脱のみを考慮すれば良くなり、結果として、落下防止用段差という簡単な段差を設けるだけで、ほぼ完全にゴルフマーカーの離脱を防止できた。そして、簡単な段差を設けただけなので、この段差以外のすべての方向にゴルフマーカーの着脱が容易に行えることが可能になった。
【００４０】
このように、本考案品の構成は、複数の効果を達成するために有機的に結合しあった最適な構成となっている。すなわち、一つの構成がひとつの効果を生み出しているのではなく、複数の構成を最適化することで、複数の効果を生み出しているのである。
【００４１】
なお、ゴルフマーカーにおいて、マーカー基部を永久磁石といった硬磁性材料以外の強磁性材料で構成し、且つ中央部に永久磁石を配置したことにより、もう一つの別の効果が生じる。このような構成においては、永久磁石から出た磁束は、周りの強磁性材料に導かれ、強磁性材料から出る磁束は永久磁石に導かれる。すなわち、全体として閉じた磁気回路を構成し、外部への磁束の漏れを最小にしている。したがって、鉄等の材料がゴルフマーカーにかなり近づいた場合でも、ゴルフマーカーが磁力により鉄等に引っ張られることは無い。例えば、グリーン上に置いたゴルフマーカーの近くを鉄製のクラブヘッドが通過しても、それによって、ゴルフマーカーが動くことが極力無い構成となっている。
【符号の説明】
【００４２】
１  ペンダントトップ、    ２  ゴルフマーカー
１１  ペンダントトップ基部、    １２  金具
１３  ペンダントトップ用磁石、    １４  落下防止用段差
１５  基部装飾孔、    １６  基部収納面装飾部
２１  マーカー基部    ２２  マーカー用磁石
２３  マーカー上面装飾    ３０  ネックレスチェーン
【図１】
0003177795.tif 000003
【図２】
0003177795.tif 000004
【図３】
0003177795.tif 000005
【図４】
0003177795.tif 000006
【図５】
0003177795.tif 000007
【図６】
0003177795.tif 000008
【図７】
0003177795.tif 000009